(57)【特許請求の範囲】
【請求項１】
流体バッグからの流体を、動物を収容する動物ケージ装置に送出する弁組立体であって、この弁組立体が、
穿刺部材と結合部材とを有している上方部材であって、流体チャネルが貫設された前記上方部材と、
この上方部材の流体チャネルと連通するベース流体チャネルが形成されたベースであって、前記上方部材に合致して結合されるべくデザインされてなる前記ベースと、
前記ベース流体チャネルの内部に一部分が配置されるべくデザインされ寸法を定められたステム部材であって、前記ステム部材は、作動部分と下面をもった上部部分を有しているような前記ステム部材と、
前記上方部材と一体的に形成されてベース流体チャネルに配置されたシール部材であって、前記シール部材は流路孔とシール部材の底面とを有し、前記シール部材の底面が前記ステム部材の上面に当接したとき、前記流路孔を密封すべく前記シール部材がデザインされ寸法を定められているような、前記シール部材と、
前記ベース流体チャネルの内部に配置されたスプリング要素と、を備え、
前記ステム部材の作動部分は、前記スプリング要素及び前記ベース流体チャネルの中を通って延びており、
前記スプリング要素の一部分が前記下面に当接して、前記ステム部材に対して付勢力を作用させることを特徴とする弁組立体。
【請求項２】
前記スプリング要素は、少なくともひとつのデッドコイルのグループを備え、組み立て工程中に前記スプリング部材を配置したとき、複数のスプリング部材がもつれるのを防ぐようになっていることを特徴とする請求項１に記載の弁組立体。
【請求項３】
前記スプリング要素は、３つのグループのデッドコイルを備え、前記グループのひとつは、前記スプリング要素の中央に配置され、前記グループのひとつは、前記スプリング要素の第１の端部に配置され、前記グループのひとつは、前記スプリング要素の第２の端部に配置されている、ことを特徴とする請求項１に記載の弁組立体。
【請求項４】
前記シール部材の底面は、底面から延びた下方隆起部を有し、前記下方隆起部は、前記流路孔を密封すべく、前記スプリング部材から前記付勢力を集中させるようにデザインされ寸法を定められていることを特徴とする請求項１に記載の弁組立体。
【請求項５】
前記ステム部材は、前記作動部分が押されたとき、選択的に流体を流すようにデザインされ寸法を定められていることを特徴とする請求項１に記載の弁組立体。
【請求項６】
前記ステム部材は、前記作動部分が５グラム以下の力で押されたとき、選択的に流体を流すようにデザインされ寸法を定められていることを特徴とする請求項１に記載の弁組立体。
【請求項７】
前記ステム部材は、前記作動部分が３グラム以下の力で押されたとき、選択的に流体を流すようにデザインされ寸法を定められていることを特徴とする請求項１に記載の弁組立体。
【請求項８】
前記ステム部材は、前記作動部分が約５グラムの力で押されたとき、選択的に流体を流すようにデザインされ寸法を定められていることを特徴とする請求項１に記載の弁組立体。
【請求項９】
前記ステム部材は、前記作動部分が約３グラムの力で押されたとき、選択的に流体を流すようにデザインされ寸法を定められていることを特徴とする請求項１に記載の弁組立体。
【請求項１０】
前記ステム部材は、前記作動部分が約３グラムの力で押されたとき、選択的に流体を流すようにデザインされ寸法を定められていることを特徴とする請求項１に記載の弁組立体。
【請求項１１】
前記ステム部材の長さは、約０．４２インチであることを特徴とする請求項１に記載の弁組立体。
【請求項１２】
前記ベース流体チャネルの幅は、約０．２０５インチであることを特徴とする請求項１１に記載の弁組立体。
【請求項１３】
前記ステム部材における前記上面の幅は、約０．２００インチであることを特徴とする請求項１１に記載の弁組立体。
【請求項１４】
前記スプリング部材の外径は、約０．１８８インチであることを特徴とする請求項１１に記載の弁組立体。
【請求項１５】
前記スプリング部材は、０．２５５インチの長さに圧縮されたとき、約１８．８〜２５．８グラムの範囲の荷重負荷になっていることを特徴とする請求項１１に記載の弁組立体。
【請求項１６】
前記上方部材は、ポリプロピレンから形成されていることを特徴とする請求項１に記載の弁組立体。
【請求項１７】
前記シール部材は、シリコーンゴムから形成されていることを特徴とする請求項１に記載の弁組立体。
【請求項１８】
前記上方部材は、前記ベースに摩擦結合していることを特徴とする請求項１に記載の弁組立体。
【請求項１９】
前記ステム部材の一部分は、前記ベース流体チャネルの内部に配置されていることを特徴とする請求項１に記載の弁組立体。
【請求項２０】
前記弁組立体は、使い捨て可能になっていることを特徴とする請求項１に記載の弁組立体。
【請求項２１】
弁組立体であって、この弁組立体が、
穿刺部材と結合部材とを有している上方部材であって、流体チャネルが貫設された前記上方部材と、
この上方部材の流体チャネルと連通するベース流体チャネルが形成されたベースであって、前記上方部材に合致して結合されるべくデザインされてなる前記ベースと、
前記ベース流体チャネルの内部に一部分が配置されるべくデザインされ寸法を定められたステム部材であって、前記ステム部材は、作動部分と下面をもった上部部分を有しているような前記ステム部材と、
前記上方部材と一体的に形成されてベース流体チャネルに配置されたシール部材であって、前記シール部材は流路孔とシール部材の底面とを有し、前記シール部材の底面が前記ステム部材の上面に当接したとき、前記流路孔を密封すべく前記シール部材がデザインされ寸法を定められているような、前記シール部材と、
前記ベース流体チャネルの内部に配置されたスプリング要素と、を備え、
前記ステム部材の作動部分は、前記スプリング要素及び前記ベース流体チャネルの中を通って延びており、
前記スプリング要素の一部分が前記下面に当接して、前記ステム部材に対して付勢力を作用させることを特徴とする弁組立体。
【発明の詳細な説明】
【発明の詳細な説明】
【０００１】
［関連出願］
本願は、２００２年１０月２１に出願した米国特許出願第１０／２７４，６１９号の一部継続出願に該当するものであり、同出願は、２００１年１０月１９日に出願した米国仮特許出願第６０／３４６，２１８号の利益を主張しており、これら両出願の内容をここに参照して引用する。
【技術分野】
【０００２】
本発明は、一般的には、流体送出装置に関し、より詳しくは、動物ケージ又は収容装置用の流体送出装置及び方法に関する。
【背景技術】
【０００３】
毎年、多くの実験動物が、実験研究に使用されている。これらの動物のサイズは、ハツカネズミから、人以外の霊長類に至る範囲にまで及んでいる。有効かつ信頼性のある実験を行うためには、研究者は、彼らの動物が試験結果や結論に影響を与える病原体及び微生物汚染物質から保護されていることを保証しなければならない。動物設備の適切なハウジング及び管理は、動物の健康、研究の質、及び動物に使用するティーチングプログラムまたは試験プログラム、及び職員の健康及び安全にとって重要である。
【０００４】
通常、動物は、その特定の条件に従って、飲料に適した非汚染飲料水又は必要な栄養物を含有したその他の流体にアクセスできなくてはならない。飲料に適した水の水質及び定義は、現場毎に変わることがある。特に、所定の箇所における水の通常の成分が研究に使用され、得られる結果に影響を及ぼす場合には、水質が許容できるものであることを確保するため、ｐＨ、硬度、微生物的または化学的汚染物質について定期的に監視する必要がある。プロトコルが高度の純水を必要とするとき、水は、汚染物質を最小限にし又は無くすように処理され又は純化される。水処理の選択は注意深く考察されるべきであって、というのは、多くの水処理形態は、生理的変化、微生物相（マイクロフロラ）の変化または実験結果への影響を引起こす可能性があるからである。例えば、給水を塩素処理することは、いくつかの種には有効であるが、その他に対して毒性であることがある。
【０００５】
ハウジング及び畜産の条件は、動物及び職業的な健康と安全並びにデータの変動性、及び動物の健康に影響を与えるため、本発明は、最適な環境条件及び動物の快適性が得られるように、ケージレベルバリヤ型ケージまたは一体型ケージ及びラック装置内の実験動物用の、汚染されることがなく、交換可能で使い捨ての流体源を提供することに関する。
世界中の動物供給業者は、特定病原体を保有しない動物に対する前例のないほどの要求を経験しており、今や、このような動物の生産と世話を研究者に任せている。同様に、実験動物用のケージ製造業者は、病原体の存在しない環境を確保する技術及び機器を提供すべく、多くのケージ装置を開発している。例えば、換気型ケージ／ラック装置は当業界において良く知られている。このような換気型ケージ／ラック装置の一例は、ラブプロダクト社(Lab Products Inc.)に譲渡された米国特許第４，９８９，５４５号に開示されており、その内容は参照によって本願に引用するが、かかる特許によれば、各々がエアプレナムとして形成されている複数の棚を備えたオープンラック装置が提供される。ラック装置には、ラック内の各ケージ及び動物を換気するための換気装置が連結されており、このため、病原体、アレルゲン、好ましくないフェロモン、または他の有害ヒュームによって容易に汚染されないケージへの要望を不要にする。このような換気型ケージ／ラック装置内での研究用のために、例えば、ラットを収容することが知られている。
【０００６】
【特許文献１】米国特許第４，９８９，５４５号
【０００７】
実験動物を効率的かつ安全に収容し、かつ飼育するための改善された技術的進歩に対する強い要望は、主として、病原体のない実験動物環境の創るための現在の関心から、免疫無防備状態の、免疫欠損、形質転換及び誘起された突然変異（「ノックアウト」）動物の使用に関して生じている。急速に拡大する形質転換技術は、モデル化分子生物学の適用にほとんどの動物集団を提供する。形質転換動物は、人の病気に対するハツカネズミ及びラットのモデル化、病気の治療及び予防のモデル、及び発育遺伝学に関する知識の進歩が連続的に成功した根拠となっている。また、新しい免疫欠損モデルの開発は、ノックアウト技術を用いた遺伝子ターゲット型モデルの創出により、近年、途方もなく進歩したことを示している。従って、非汚染型のケージ環境及び物質免疫無防備状態の動物（すなわちＳＣＩＤハツカネズミ）の増大する使用に対する要望は、病原体の存在しない餌及び水の必要性を大きく増大させている。隔離された動物ケージの環境内に病原体を導入するひとつの主な手段は、さもなければ、単一又は複数の動物に与えられる汚染された餌及び水である。
【発明の開示】
【発明が解決しようとする課題】
【０００８】
従って、特殊なケージ装置及び所定のケージへ水を送出する装置の両者を改善することによって、実験動物の健康を向上させ且つより良く飼育することが要望されている。水または流体を供給するための関連するケージ装置は、汚染の危険、バイオ閉込め条件、ＤＮＡ危険排出物、遺伝子伝達技術による病気の誘発、仕事場でのアレルゲンの曝露、及び動物福祉の問題など、ある種の欠点を有している。
現在、研究所その他の施設は、ケージから取外し、分解し、洗浄し、滅菌し、再び組み立ててケージに戻さなくてはならない、ボトルその他の容器を用いて動物に流体を供給している。さらに、研究所は、その将来の必要性及び／又は研究すべき動物の種類に基いた種々の条件に応じて、大量の流体ボトルないし容器を保管しなくてはならない。一般に毎週行なわれるこの大量の保管、洗浄及び滅菌を行なう努力は、反復作業であり、しばしば退屈である仕事を行うのに、多量の時間と、スペース及び人手を必要とする。
このように、ケージレベルバリヤ型ラック／ケージ装置内で生活する実験動物に流体を供給するための、改善された装置が要望されている。
【課題を解決するための手段】
【０００９】
本発明はこの要望を満たすものである。簡単に言えば、本発明のひとつの実施形態によれば、動物を収容する動物ケージ装置に流体を供給する流体送出装置が開示される。流体送出装置には、流体を保持する流体バッグに連結できる流体送出弁組立体を設けると良い。消毒された使い捨て流体バッグを有利に使用することにより、本発明は、ケージから取外し、洗浄し且つ常に衛生的にしなければならない流体ボトルを使用する必要性を最小にできる。
送出装置は、当該技術で知られている換気型ケージ／ラック装置に一体化された単一または複数のケージに使用できる。ここに開示する本発明のひとつの実施形態は、流体送出弁組立体を有し、流体送出弁組立体は、ケージ装置への流体の供給を行なうため流体バッグに連結でき且つ流体バッグからの流体を、動物を収容する動物ケージ装置に供給する流体送出装置を提供する。流体送出弁組立体は更に、穿刺部材及び連結部材を備えた上方部材を有し、上方部材はこれを貫通して形成された流体チャネルを備え、ベースを有し、ベースは、フランジ部材と、ベースを貫通して形成されたベース流体チャネルとを備え、ベースは上方部材に連結できるようにデザインされている。流体送出弁組立体は更に、ベース流体チャネル内に配置されるスプリング要素と、ベース流体チャネル内に一部が配置されるステム部材とを有し、スプリング要素の一部は下面に当接してステム部材に付勢力を付与する。
【００１０】
他の実施形態は、流体バッグからの流体を、動物を収容する動物ケージ装置に送出する弁組立体を形成する方法であって、この方法によれば、射出成形装置において、穿刺部材を有する上方部材と結合部材とを形成する。上方部材には流体チャネルが貫設される。射出成形装置において、フランジ部材を有すると共に、ベース流体チャネルを貫設されてなるベースを形成する。ベースは上方部材と結合すべくデザインされている。方法においてはさらに、射出成形装置において、ベース流体チャネルの内部に一部分が配置されるべくデザインされ寸法を定められたステム部材を形成する。ステム部材は、スプリング要素を通って延びる作動部分を有している。ステム部材は、下面をもった上部部分を有する。
【００１１】
本発明のさらに別の目的及び利点は、明細書の記載からその一部が明らかになるであろう。
本発明の他の特徴及び利点は、添付図面を参照して述べる本発明の例示的な実施形態についての以下の詳細な説明から明らかになるであろう。
単なる例示であるいくつかの図面において、同様の構成要素は対応する参照番号で示されている。
【発明を実施するための最良の形態】
【００１２】
図１及び図２を参照すると、流体送出弁組立体１を備えてなる動物ケージ組立体９０が示されている。動物ケージ組立体９０は、フィルタ保持器９１と、フィルタフレーム９２と、フィルタ頂部ロック９３と、噛付き防止部材９４と、複数のスナップリベット９５と、流体を収容する流体バッグ６０と、流体送出弁組立体１と、支持部材５０を形成する餌供給装置９６と、餌受け１１１と、流体バッグ受け１１０と、ケージ本体９８とを有している。ケージ本体９８は、動物ケージ組立体９０内の動物に餌と液体の両方を供給できるような、組合せ型餌供給装置９６を備えた箱型の動物ケージである。一般に、動物ケージ組立体９０には、フィルタ保持器９１とフィルタフレーム９２との間にサンドイッチにしたフィルタ９９も備える。ケージ本体９８には、一体の側壁１００と、底壁ないし床１０１と、開放上部端とが形成されている。ケージ本体９８の開放上部端は、そのまわりに連続的に延びた、周囲唇部１０２によって境界を定められている。ケージ本体９８はまた、その積重ねを容易にすべく、複数の積重ね用コーナータブ１０３を備えている。
【００１３】
図３〜図５を参照すると、流体送出弁組立体１が示されている。流体送出弁組立体１は、それを動物ケージ９０内で使用するために、上方部材１０と、スプリング要素２０と、トリガ組立体３０と、カップ要素４０とを有している。水送出装置１は、支持要素５０により動物ケージ９０内の所定位置に保持される。支持要素５０は、餌供給装置９６から延び、流体バッグ受け１１０の床を形成している。変形例として、水送出装置１は、餌供給装置９６と一体に成形されていても良い。
【００１４】
図４及び図５に示すように、上方部材１０は、穿刺部材１１と、コア部材１２と、フランジ部材１３とを有している。上方部材１０も、流体チャネル１４を有している。矢印「Ａ」は、流体送出弁組立体１の中を通ってトリガ組立体３０に流れる流体の流れを示し、トリガ組立体３０において、流体の流れは、動物ケージ９０内の動物によって作動される。穿刺部材１１は、その上端部に傾斜先端部１５を有し、傾斜先端部１５の上縁は鋭い孔あけ用刃１６を有し、この孔あけ用刃１６は、流体バッグ６０に接触し且つ孔あけし、バッグ６０内の流体を流体チャネル１４から流出させる。フランジ部材１３がコア部材１２から延びている。好ましい実施形態では、フランジ部材１３は円形である。しかしながら、当業者ならば、フランジ部材１３が任意の所望形状であっても良いことを容易に理解できよう。しかしながら、フランジ部材１３の少なくとも一部の直径は、コア部材１２の流体チャネル１４よりも大きくなくてはならない。図３に示すように、スプリング要素２０は、密に巻回されたコイル巻き部材で形成され、コイル巻き部材は、ステム３１の上端部３３の上面３５の上に乗り、流体チャネル１４の中を通って上方部材１０に入る。図５に示すように、流体チャネル１４は、流体チャネル１４の上方部分の直径が穿刺部材１１内の位置１７で細くなっており、これにより、スプリング要素２０が流体チャネル１４を通って穿刺部材１１から出ることが防止される。
【００１５】
図６を参照すると、トリガ組立体３０が示されている。トリガ組立体３０は、シール部材３２を通して挿入されたステム３１を有している。ステム３１は、上端部３３及び下端３６を有している。ステム３１の下端部３６は、実質的に平らである。ステム３１の上端部３３は、ほぼ円錐形であるが、他の形状であっても良い。シール部材３２は、ステム３１の周囲にきつく嵌まり、これにより、ステム３１回りの運動を制限することが可能である。シール部材３２は、上端部３３の円錐形部分のベースがシール部材３２の上に乗るように寸法決めされている。シール部材３２は、ゴム、シリコーンゴム又は他の柔軟な弾性材料で形成される。好ましい実施形態では、シール部材３２は、哺乳類に有害でない材料で作られる。
【００１６】
図７〜図９に、カップ要素４０が示されている。カップ要素４０は、ベース４３と、内面４１と、外面４２とを有している。ベース４３はまた、作動チャネル４００を有している。トリガ組立体３０のステム３１の下端部３６は、作動チャネル４００の中を通って動物ケージ９０の内部に延びている。流体チャネル１４は、孔あけ用刃１６から穿刺部材１１、コア部材１２及びスプリング要素２０を通って延び、カップ要素４０の底壁で終端する。トリガ組立体３０は、作動チャネル４００の中を通って延びている。カップ要素４０は、フランジ部材１３のすぐ下の上方部材１０のコア部材１２に摩擦嵌めされる。
【００１７】
図１０〜図１２には、流体バッグ受け１１０及び餌受け１１１を収容する餌供給装置９６が示されている。図１１に示すように、流体バッグ受け１１０は、流体７０が入っている流体バッグ６０を保持する。流体送出弁組立体１は、フランジ部材１３ａ、１３ｂ、１３ｃ、１３ｄとロック部材５１ａ、５１ｂ、５１ｃ、５１ｄとの間の相互連結によって、流体バッグ受け１１０の受けベース１１２にしっかりと保持されている。流体送出弁組立体１の孔あけ用刃１６は、流体バッグ６０を刺してそれに孔をあける。図１１及び図１２に示すように、餌供給装置９６の餌受け１１１は、ワイヤ製の餌ホルダ要素１１６を保持している。図１０及び図１２には、流体バッグ６０内に入れられた流体７０を流体送出弁組立体１によって容易に空にし且つ動物が流体バッグ受け上に乗ることを防止するために流体バッグ受け１１０が成形流体バッグ受け１１０’である、本発明の他の実施形態を示している。変形実施形態では、流体バッグ６０は、それを流体送出弁組立体１によって空にすることを容易にするようにテーパにされ、即ち、寸法きめされている。流体バッグ６０は、交換可能又は使い捨てに作られても良いし、ユーザの要望に従って任意の量でひとつずつ作られても良い。
【００１８】
流体送出弁組立体１は、流体バッグ６０の内容物を動物ケージ組立体９０内の動物に送出するのに使用される。流体バッグ６０内の流体７０は、水、蒸留水、種々のビタミン、ミネラル、抗生物質または抗真菌剤等の薬剤及び／又はその他の栄養素が補充された水、又はケージに入れられた動物が摂取できる任意の流体を含む。流体バッグ６０内の流体７０は、動物ケージ組立体９０内の任意の動物を感染から保護すべく、滅菌又は消毒状態で動物に送出される。流体バッグ６０は、任意所望の形状又は容積で形成される。好ましい実施形態では、流体バッグ６０は、流体バッグ受け１１０にぴったり合うように形成される。
【００１９】
流体バッグ６０が可撓性材料から構成される必要はなく、その一部が剛性材料で作られても良いことは明らかである。本発明の実施形態では、流体バッグ６０は、穿刺部材１１の挿入時に裂けないように耐える１又は複数の層からなる。変形例として、バッグの裂けを防止し且つ挿入された穿刺部材１１の周囲にシールを形成するために、可撓性で引伸ばし可能な弾性プラスチック貼着材５０１がバッグに接着されても良い。加えて、図１３〜図１５に示すように、流体バッグ６０は、孔あけ用刃１６が流体バッグ６０を穿刺する領域がより薄いプラスチックで作られ又は反転されるのが良く、これにより、流体バッグ６０を穿刺すべき位置をエンドユーザが容易に識別することを可能にし、且つ、流体バッグ６０が流体バッグ受け１１０内に収まることを補助する。本発明の更なる実施形態では、孔あけ用刃１６が流体バッグ６０を位置８８で穿刺するとき、流体バッグ６０が穿刺部材１６に付着して流体７０が流体バッグ６０から漏れることを防止することができるように、流体バッグ６０は、弾性プラスチック又はポリマー材料で作られるのが良い。流体バッグ６０は、穿刺部材１６によって穿刺することが可能であり且つ流体を滅菌状態で保持することが可能な任意の材料で形成されるのが良い。本発明の他の実施形態では、流体バッグ６０は１又は２匹以上の実験動物に送出される流体を収容することが可能なプラスチック又は他の任意の可撓性材料である。本発明のさらに別の実施形態によれば、流体送出弁組立体１、上方部材１０、流体バッグ６０、及びその内容物である流体７０は、１又は複数に分類された異なる手段によって滅菌され、限定はしないがそれらには、紫外線、照射、化学処理、逆浸透、ガス殺菌、蒸気殺菌、濾過、高圧滅菌釜、及び／又は、蒸留が含まれる。本発明における各要素、流体送出弁組立体１、流体バッグ６０、及び流体７０は、単独にて、または、互いに組み合わせて、滅菌ないし殺菌しても良い。流体バッグ６０の流体７０は、流体バッグ６０が密封される前に、または、密封された後に、滅菌される。
【００２０】
流体バッグ６０の内容物の滅菌方法を提供するひとつの実施形態では、流体バッグ６０をシールする前に、流体７０を滅菌することが可能であり且つ従来技術で知られている化合物を、流体７０と共に流体バッグ６０内に入れる。その後、化合物は、流体７０を滅菌し、次いで、流体７０は、動物に送出され、動物に害を与えずに消費される。他の滅菌方法を以下に説明する。
本発明のひとつの実施形態では、漏れ防止部材５０１が上方部材１０に固定され又は形成され、それにより、穿刺部材１１による孔あけ後の流体バッグ６０からの流体７０の損失を防止する。
【００２１】
図１４に示すように、穿刺部材１１は、その先端を上向きにして支持した状態で、流体バッグ受け１１０の支持要素５０に剛性に固定され、その結果、特に、流体バッグ６０を支持要素５０の上に配置し又は流体バッグ受け１１０’に入れたときに穿刺部材１１が位置８８で流体バッグ６０に自動的に挿入される（図１及び図４参照）。
本発明のひとつの実施形態では、流体バッグ６０は、動物ケージ９０の流体バッグ受け１１０に入れられる。流体バッグ受け１１０は、ベース１１２と、内面１１４と、外面１１５とを有している。流体バッグ受けベース１１２はまた、作動チャネル４００を有している。流体送出弁組立体１を動物ケージ９０と関連して使用するとき、トリガ組立体３０のステム３１は、カップ４０の中を通って動物ケージ９０の内部に向かって延びている。他の実施形態では、作動チャネル４００を囲む流体バッグ受けベース１１２の一部分は、１又は２つ以上のロック部材５１を有している。
【００２２】
図１６に示す他の実施形態では、支持部材５０は、その上に形成され且つフランジ部材１３ａ、１３ｂ、１３ｃ、１３ｄを支持部材５０に固定するのに使用される４つ（又は幾つかの他の数）のロック部材５１ａ、５１ｂ、５１ｃ、５１ｄを有している。フランジ部材１３ａ、１３ｂ、１３ｃ、１３ｄがロック部材５１ａ、５１ｂ、５１ｃ、５１ｄによって流体受けベース１１２に又は支持部材５０の上に固定されれば、フランジ部材１３ａ、１３ｂ、１３ｃ、１３ｄの形状を変えても良いことを、当業者に容易に理解するであろう。図１６では、ロック部材５１ａ、５１ｂ、５１ｃ、５１ｄは指のような形状を有し、フランジ部材１３は、フランジ部材１３ａ、１３ｂ（図示せず）、１３ｃ、１３ｄとして示す４つの等しいピースに分割される。
【００２３】
図１７を参照すれば、本発明の隔離式動物ケージラック装置６００が示され、隔離式動物ケージラック装置６００は、左側壁６２５及び右側壁６３０を備えたオープンラック６１５と、複数のラック連結ステーション６１６と、上部部６３５と、底部６４０とを有している。複数の支柱６４５が、上部部６３５と底部３４０との間に平行に配置されている。垂直支柱６４５は、好ましくは、細く、ラック６１５の正面から背面まで実質的に延びている壁を有していても良いし、各々が２本の垂直部材、即ち、ラック６１５の正面又はその近傍の垂直部材とラック６１５の背面又はその近傍の垂直部材、で構成されても良い。隔離式動物ケージラック装置６００はまた、ラック６１５の左側壁６２５と右側壁６３０との間に交互に平行に配置された複数の空気供給プレナム６１０及び空気排出プレナム６２０を有している。
上述した流体送出弁組立体１は、動物への流体の供給を容易にするけれども、あるラックケージ装置形態と組合せて使用するときに幾つかの欠点がある。例えば、図３に戻ってそれを参照すれば、トリガ組立体３０のステム３１が動物によって作動されるとき、ある環境において、動物がステム３１を作動させることを止めた後でも、ステム３１が開位置にくっついたままになることがある。ステムが開位置にくっついたままであると、流体がケージ及びケージ内ベッドに漏れ続け、その結果、流体が無駄になり、動物の体温を低下させたり、動物に悪影響を及ぼしたりする可能性がある。
【００２４】
ある環境下でこの問題が生じるひとつの理由は、ステム３１が動物によって作動されるとき、ステム３１、シール部材３２及びスプリング要素２０が流体チャネル１４内で特別な位置を占めてしまうことにより、スプリング要素２０の底部の回りのステム３１の上端部３３の枢動箇所が、予測されるようにも一定のままにもならない傾向があるからである。従って、動物による作動後、ある環境下において、ステム３１がスプリング要素２０に対して位置をずらし、かくして、スプリング要素２０がステム３１を所望の閉位置に戻そうとすることができなくなる。
【００２５】
図１８を参照すると、特に、ステム部材２４０、スプリング部材２５０及びシール部材２６０の構成が上述した流体送出弁組立体１における対応部品の構成と異なっていることにより、上述した欠点を解消できる流体送出弁組立体２００が示されている。以下に詳細に説明するステム部材２４０、スプリング部材２５０及びシール部材２６０の構成は、ステム部材２４０が予測される一定不変の枢動箇所を有し、かくして、動物によるステム部材２４０の作動がないとき、ステム部材２４０を閉位置により確実に戻すことを可能にする。
従って、流体送出弁組立体２００は、いくつかの点で、流体送出弁組立体１の構造及び配列と異なっている。しかしながら、本発明によれば、流体送出弁組立体２００は、流体送出弁組立体１を参照して説明したすべての実施形態に使用できる。従って、本発明に従えば、限定しない例示として流体バッグ６０、隔離式動物ケージラック装置６００及び／又は餌供給装置９６と組合せて流体送出弁組立体１の使用が説明された本明細書の任意の実施形態において、流体送出弁組立体２００も同じように使用できる。
【００２６】
図１８を再び参照すると、流体送出弁組立体２００は、上方部材２１０と、ベース２２０とを有している。流体送出弁組立体２００はまた、シール部材２６０と、ステム部材２４０と、スプリング部材２５０とを有している。
上方部材２１０には、前述のように流体バッグ６０を穿刺するための鋭い先端２１４を有するほぼ円錐形の穿刺部材２１１が形成されている。バッグ６０からの流体７０が、穿刺部材２１０内に構成された流体チャネル２１６内に流れることを容易にする１又は複数の流路孔２１５が、穿刺部材２１０の一部分に構成されている。上方部材２１０にはまた、連結部材２１２が形成され、この連結部材２１２は、その一部分を包囲するグリップ部分２１３を有している。
ほぼ円筒形のベース２２０は、上部部分２２１及び底部分２２２を有し、上部部分２２１と底部分２２３とは、ベース２２０を包囲し且つそれから外方に延びるフランジ部材２２６によって分離されている。フランジ部材２２６は、流体送出弁組立体１に関して前述したように、流体送出弁組立体２００の取付け、即ち、位置決めを容易にするのに使用される。上部部分２２１は、内面２２３を有し、この内面２２３にグリップ部分２１３が配置されている。
上方部材２１０は、連結部材２１２がベース２２０の上部部分２２１に挿入されることにより、ベース２２０に連結されるように設計され且つ寸法決めされている。この連結は、上方部材２１０のグリップ部分２１３とベース２２０のグリップ部分２２４との摩擦相互作用によって容易にされる。
シール部材２６０、ステム部材２４０及びスプリング部材２５０は、ベース流体チャネル２３０内に配置されている。ステム部材２４０は、ほぼ平らな上部部分２４１を有し、その結果、ステム部材２４３の上部面２４３がシール部材２６０の底面２６２の一部分に接触するとき、シール部材２６０の流路孔２６５は、有効にシールされる。ステム部材２４０の作動部分２４２は、スプリング部材２５０及びベース流体チャネル２３０の中を通って延びている。流体送出弁組立体１に関連して前述したように、流体の流れの制御を容易にするために、スプリング部材２５０は、ステム部材２４０をシール部材２６０に接触するように付勢する。
【００２７】
図１９を参照すれば、流体チャネル２３０は、スプリング部材２５０が流体チャネル２３０の中を通ってそれから抜け出すことを阻止するのに役立つ細い部分２３２を有しているので、スプリング部材２５０は、流体チャネル２３０の下端部のところで流体チャネル２３０内に保持される。スプリング部材２５０の上部部は、ステム部材２４０の下面２４４（図２０参照）に当接している。スプリング部材２５０は、ステム部材２４０を上下方向姿勢に付勢するのに役立ち、かくして、上部面２４３とシール部材２６０との間のシール部を形成する。このシール部は、ステム部材２４０に対するシールを形成するようにスプリング部材２５０の付勢力を集中させる下方隆起部２６６を用いることにより容易に形成される。
【００２８】
図２１及び図２２を参照すると、ステム部材２４０が動物によって作動されたときの流体送出弁組立体２００の動作が示されている。明瞭化のため、図２１及び図２２には、スプリング部材２５０を示していないことに留意すべきである。しかしながら、上述したように、ステム部材２４０が動物によって作動されている間、スプリング部材２５０は、ステム部材２４０をほぼ上下方向の姿勢に付勢する付勢力を付与する。
図２１を参照すると、ステム部材２４０は、その上部面２４３がシール部材２６０の下方隆起部２６６にシール箇所２４６のところで有効に当接した状態でほぼ上下方向に配置されている。上部面２４０と組合せて下方隆起部２６６を使用することは、上述したようなシールを形成するためにスプリング部材２５０の付勢力を集中させるのに有利に働く。
図示の流体送出装置２００は、流体バッグ６０を孔あけしそれに刺さっており、その結果、流体７０は、流体バッグ６０から上方部材２１０の流路孔２１５に流入し、次いで、流体チャネル２１６に流入して、シール部材２６０の流路孔２６５を通り、シール箇所２４６まで下方に流れている。この時点では、ステム部材２４０は、その上下方向姿勢（シール位置）にあり、流体の流れは、止められている。
本発明のひとつの実施形態では、いったん流体バッグ６０が流体送出弁組立体２００によって孔あけされると、流体バッグ６０の外壁がベース２２０の上部部分２０１の面２３５に沿う範囲に位置決めさせられ、その結果、上側の境界が保持壁２１７によって定められ且つ下側の境界がフランジの上部面２２７によって定められる部分内に配置されたままになる。本発明のひとつの実施形態では、流路孔２１５及び（幾つかの実施形態では）孔部分２１８は、バッグ保持壁２１７の縁部の回りに有効に配置される。
図２２を参照すると、動物がステム部材２４０の作動部分２４２を方向Ｂに作動させている間にとるであろう位置に配置されたステム部材２４０が示されている。もちろん、当業者は、ステム部材がその休止位置、即ち、上下方向姿勢から外方に作動される限り同じ結果が得られることを認識するであろう。方向Ｂへの作動時、ステム部材２４０は、枢動点２３６を中心に枢動し、その結果、ステム部材２４０の上部面２４３は、シール部材２６０の下方隆起部２６６から離れる方向に移動する。この移動により、シール部材２６０の流路孔２６５にある流体７０が、隙間２３７を通って流れることを可能にし、流体は、更に、流体チャネル２３０内に流入し、動物まで方向Ａに流出する。
流体７０の流量を所望値に有利に制限するようにステム部材２４０の最大移動を制限するために、ベース２２０には、流体チャネル２３０内に配置された当接壁２３３が形成されている。加えて、ステム部材２４０、ベース２２０、シール部材２５０及びスプリング部材２５０は、ステム部材２４０が一定の予測可能な枢動点２３６で枢動し且つ動物による作動から解放された後に開位置にくっついたり引っかかって動かなくならないように、有利に設計され且つ寸法決めされる。その結果、流体が無駄になること、動物を低体温に曝すこと、及びケージ及びベッド材料が過度に濡れることにより引起こされるその他の問題を最小にする。
【００２９】
図２３に示す本発明の実施形態には、延長部分２３４を備えた流体送出弁組立体２００のベース２２０が形成されている。作動部分２４２の一部分だけが延長部分２３４を越えて延びているので、延長部分２３４は、ある適用例の特別な場合には、ステム部材２４０の作動部分２４２を動物が不意にぶつからないように保護する働きをする。本発明のひとつの実施形態では、延長部分２３４及び作動部分２４２のそれぞれの長さＬ１及びＬ２は、所望の結果、飼育する動物の種類並びに他の要因に基いて調節される。
図２４に示す本発明の実施形態では、動物ケージ９０内の動物への感染を防止するために、水送出装置１（又は流体送出弁組立体２００）は、滅菌及び／又は高圧消毒され、使用前にラップ４７または他の適当な容器内に滅菌状態に維持される。なお、以下に説明する本発明の実施形態は、簡単のために、流体送出弁組立体１のみを特に参照するが、同様に、流体送出弁組立体２００も全ての例に使用できることを理解すべきである。ユーザが、流体バッグ６０と組合される清潔な水送出装置が必要であることを決定したとき、水送出装置１を滅菌状態で、即ち、非汚染方法を用いてラップ４７から取出し、動物ケージ９０に挿入し、流体バッグ受け１１０に入れる。流体送出弁組立体１の全部をラップ４７内に収容することも考えられるが、図２４では、流体送出弁組立体１の一部分だけを示す。次に、流体バッグ６０を流体バッグ受け１１０に入れて、穿刺部材１１によって孔あけすると、流体、又は、水７０が流体チャネル１４を通って動物ケージ９０内の動物に送出される。この方法は、滅菌流体７０が汚染されていない流体チャネルを通して送出されること、及び、流体送出弁組立体１自体が非汚染状態及び病原体のない状態にあることを確保する。加えて、本発明の実施形態では、流体送出弁組立体１は、種々の量のグループになったブリスターパックの形態で販売され且つ保管されるのが良い。
【００３０】
図２５に示す本発明の他の実施形態では、上方部材１０及び穿刺部材１１を含む流体送出弁組立体１の上方部分は、使い捨てキャップ４５で覆われ、ユーザは、流体バッグ６０を流体バッグ受け１１０内に配置してそれを孔あけして動物ケージ９０内の動物に流体を送出させるために水送出装置１を使用したいとき、使い捨てキャップ４５を取外す。使い捨てキャップ４５は、任意の適当な材料から作られ、流体バッグ６０内の流体の種類を指示する色が着けられていても良いし、透明であっても良いし、不透明であっても良い。使い捨てキャップ４５は、流体送出弁組立体１から容易に取外される。使い捨てキャップ４５は、滅菌された流体送出弁組立体１を構成するものではないが、ラベル機能を有し、ひとつの実施形態では、ユーザにうっかり突き刺さることを防止する保護機能を有している。
【００３１】
本発明のひとつの実施形態は、１又は複数の動物ケージに流体を送出する装置及び方法を提供する。本発明により提供される装置は、少なくとも２つの使用方法を有し、第１の方法では、動物ケージ又はケージ装置に使用するための密封及び滅菌された流体バッグを供給する工程を有している。供給者は、使用のために予め包装された非汚染流体、例えば、水又は動物が必要とする栄養素等を含む流体を供給し、好ましくは、殺菌された流体を充填したバッグをユーザが指定した場所に配送する。その代替方法として、供給者は、シール装置、流体バッグを製造するための材料及び流体供給源をユーザが指定した箇所に配置しても良い。次に、供給者は、ユーザのための適当な数の流体バッグを指定箇所で組立て、充填し、シールする。第２の方法では、供給者は、シール装置及び流体バッグを製造するための材料をユーザに提供する。この第２の方法では、供給者はまた任意の適当な流体をユーザが指定した場所でユーザに供給しても良い。次に、ユーザは、流体バッグを組立て、充填し、シールして、本発明の流体送出装置に適当に使用する。
【００３２】
図２６には、本発明のひとつの実施形態による、流体バッグを充填し且つシールする方法及び装置３００が示されている。前述のように任意の適当な材料で形成されるバッグ材料３１０を、ロール形態等のバルク形態で貯蔵する。プロセスを続けるとき、バッグ材料３１０をバッグ形成部分３３０上に移動させ、ほぼ平らな形状のバッグ材料３１０をチューブに形成する。プロセスを続けるとき、上下方向シール装置３４０がバッグ材料３１０に上下方向シールを形成し、これにより、チューブの形成が完了する。
内容物供給部分３２０は、例えば、重力式供給方法により、構成成分をバッグ材料３１０のチューブ内に加える働きをする。内容物供給部分３２０は、液体貯蔵容器、粉末貯蔵容器、種々のポンプ、及びその他の供給手段を含んでおり、その結果、例えば、流体７０が、上述した添加剤を入れるか入れないかのいずれかで、当業界で知られているような適当な量で定量される。また、内容物供給部分３２０は、内容物供給部分３２０から供給される内容物がほぼ滅菌状態となるように、加熱及び／又は滅菌装置を含むのが良い。
次に、水平シール装置３５０が、熱接着又は当業者に知られていると認識されている他のいくつかの方法によって、水平シールを形成する。この水平シールは、チューブの内容物を別々の部分に隔離する機能を有している。次に、バッグ切断装置が、バッグ材料を水平シールの位置で切断し、流体７０を収容する個々の流体バッグ６０を形成する。
【００３３】
もちろん、本発明の精神によれば、流体バッグ６０を形成する正確な工程を、適用例における特定の設計上の選択に従って変えても良い。本発明のいくつかの実施形態では、工程を追加しても良いし、省略しても良いし、異なる順序で行っても良い。加えて、流体バッグ６０の内容物及びバッグ材料３１０は、完成バッグの形成前に滅菌されても良いし、その形成後に滅菌されても良い。
【００３４】
図２７〜図２９に示す本発明のひとつの実施形態では、流体７０を約１８０°Ｆに加熱し、流体バッグを貯蔵容器３７０内に積重ねる。その結果、流体７０、流体バッグ６０及び貯蔵容器３７０の全てが、満足できる程度に滅菌される。本発明のひとつの実施形態では、ケージ本体９８をかかる貯蔵容器として使用するのが良い。この方法の追加部分も、容器を積重ねる際にロボットアーム３８０を使用することによって示すように、自動化されるのが良い。
貯蔵容器（又はケージ本体９８）３７０には、隔離式ケージラック装置６００内に配置される前、ワークステーション３８２のところで流体バッグが供給されるのが良い。加えて、貯蔵容器３７０又はケージ本体９８を、他の種々の滅菌装置に通過させるのが良い。
図３０を参照すると、他の実施形態による流体送出弁組立体４００を示しており、これは多くの点において、前述した流体送出弁組立体２００と類似している。実験によれば、動物が、弁組立体４００から効率的かつ有効に流体を取得するには、３グラム以下の作動力が最適であることが判明した。流体送出弁組立体２００に関連して上述したように、ステム部材４４０を作動させるための作動力は、ステム部材４４０における作動部分４４２の長さ（ステム部材４４０の上面４４３がシール部材４６０に対してピボットするときのレバーとして働く）、及び、ステム部材４４０に対して付勢力を作用させるスプリング部材４５０の特性に関連している。この望ましい作動力の要求条件を達成するために、様々な寸法のスプリング４６０（後述）、ベース流体チャネル４３０、及びステム部材４４０について実験を行った。ある種の実施形態における寸法は、以下の通りであった。すなわち、ベース流体チャネル４３０の幅Ｌ３は約０．２０５インチの寸法であり、また、ベース流体チャネルの長さＬ４（シール部材４６０の底部から測定する）は、約０．３００インチの寸法であることが最適であった。
【００３５】
図３１を参照すると、ステム部材４４０に関しては様々な寸法が有益であることが判明した。例えば、ステム部材４４０の上面４４３の幅Ｌ５は、約０．２００インチの寸法であった。ステム部材４４０の長さＬ６は、約０．４２０インチの寸法であった。ステム部材４４０の縁部４４５の高さＬ７は、約０．０３０インチの寸法であった。ステム部材４４０の突出部４４７の厚みＬ８は、約０．０２０インチの寸法であった。ステムの凹部４４６の深さＬ９は、約０．０２５インチの寸法であった。ステムの凹部４４６の幅Ｌ１０は、約０．１００インチの寸法であった。最後に、ステム部材４４０における作動部分４４２の幅Ｌ１１は、約０．０６２インチの寸法であった。
【００３６】
図３２を参照すると、例示的な実施形態によるスプリング部材４５０が示されている。スプリング部材４５０は、３０２番のステンレス鋼ワイヤに、ニッケルコーティングを施したものから作られており、ワイヤの直径は０．０１１インチである。外径Ｌ１３は約０．１８８インチであり、スプリング部材４５０の自由長さ（力を加えないときの長さ）Ｌ１２は、０．３５０インチである。流体送出弁組立体４００に収容されたときのスプリング部材４５０の長さである、０．２５５インチに圧縮したとき、スプリング部材４５０が発生する力ないし荷重は２２．３±３．５グラムである。もちろん、ある種の実施形態は上述した範囲の寸法の部品から構成されるけれども、本願の教示に従って、他の寸法もまた使用することができる。ある種の実施形態では、スプリング部材４５０は合計約１９．４巻きのコイルを有し、約６．４巻きのコイルはアクティブであるが、約１３．４巻きのコイルは「デッドコイル」になっている。
【００３７】
アクティブなコイル４５１とは、負荷の下で自由に変形できるコイルである。これとは対照的に、デッドコイル４５２とは、スプリングの原動力に貢献しないワイヤコイルである。一般に、引張バネや捩りバネにおいては、デッドコイルは存在しない。代表的に、スプリング部材４５０のような圧縮バネにおいては、両端の部分がデッドコイルになっていて、残りがアクティブなコイルになっている。しかしながら、ある種の実施形態では、追加的なデッドコイル４５２を設けて、組立工程を容易にすることができる。とりわけ、スプリング部材４５０は比較的小さい寸法であるために、スプリング部材４５０は、これを積み上げたり纏めたりすると、アクティブなコイル同士がからみ合って、入子になったり、もつれ合ったりする傾向がある。
【００３８】
しかしながら、ある種の実施形態では、デッドコイル４５２を有利に用いて、保管及び組立中に、スプリング部材４５０がもつれ合うのを最小にできる。ある種の実施形態では、デッドコイル４５２のグループ４５３を、スプリング部材４５０の様々な位置に配置する。ひとつの実施形態では、約４．５巻きのデッドコイル４５３のグループ４５３をスプリング部材４５０の両端に設けると共に、他のグループ４５３の約４．５巻きのデッドコイル４５２をスプリング部材４５０の中央に設ける。デッドコイル４５２のグループ４５３におけるコイルが互いに近接して配置されているために、隣接するスプリング部材４５０のコイルは、コイル間を貫くことがなく、従って、コイルを流体送出弁組立体４００に組み立てる前に積み重ねて保管するとき、スプリング部材４５０はもつれ合いにくくなる。さらに、上述したスプリング部材４５０の寸法の組み合わせは、ステム部材４４０及びベース４２０に関連して上述した様々な寸法と組み合わせると、作動力が３グラム以下の弁を提供できることが判明した。
【００３９】
流体送出弁組立体４００を大量生産するためには、ある種の構成要素、例えば、上方部材４１０、ベース４２０、ステム部材４４０、及びシール部材４６０は、射出成形工程によって形成すると良い。一般に、射出成形は、溶融したプラスチックを金型のキャビティに押し込む工程である。プラスチックが冷えたならば、部品を取り出すことができる。この工程によれば、多数の部品を同時に、同じ金型から作ることができる。
図３３を参照すると、ある種の実施形態による、例示的な射出成形モールド装置５００を示している。射出成形工程においては、樹脂５０２をホッパー５０４を介して装置に供給する。樹脂は、供給口５０８を通り、重力によって注入バレル５０６に入る。バレル５０６に入ると、樹脂５０２は、加熱要素５１０によって加熱されて、適当な溶融温度になる。
樹脂５０２は、往復スクリュー５１４又はラムインジェクタによって、金型５１２に注入される。往復スクリューによれば、全体の材料（バレルの中にある溶融した樹脂の量）のうち、少ない割合にて注入できるという利点が得られる。代表的に、スクリュー５１４の射出成形装置は、小さな部品を生産するのにより良く適している。樹脂は、湯路から、出口ないしゲートを通り、成形キャビティの中に流入する。ゲートは、湯路と金型部分との間に結合を提供する。
【００４０】
金型５１２は、プラスチックを受け入れて、これを適切な形状に成形する。樹脂が硬化して、触れる温度にまで、金型を冷却する。金型プレート５１４は、液圧又は機械的な力によって、合わせられて保持される。充分に部品が冷却された後に、金型を開いて部品５１６を取り出す。
射出成形された部品の特性は、材料のパラメータ、幾何学形状のパラメータ、及び、製造パラメータなどといった、主たるカテゴリーのパラメータに影響される。材料のパラメータには、使用される材料の粘度と、それに関連した圧力・体積・温度の挙動とが含まれる。関連する幾何学形状のパラメータには、部品の壁厚、溶融した材料が金型に流入するゲート数、及び、ゲートの厚みが含まれる。関連する製造パラメータのいくつかとしては、金型温度、材料の融点、及び金型に加えられる圧力が含まれる。当業者は理解するであろうが、本願で述べた通り、射出成形された部品の性能は、これらのグループのパラメータの相互作用に依存する。
【００４１】
さらに、本願においては、別個のシール部材２６０と穿刺部材２１０とを備えた実施形態による流体送出弁組立体２００について述べたけれども、これらの構成要素を単一の部品として、シール部材４６０と上方部材４１０とを一体的な単一部品として構成しても良い。そのような一体的に形成された部品は、多段階のモールド工程によって作ることができる。
多段階モールド工程（又は２ショットモールド工程）は、それぞれが異なる材料を注入するための、２つの独立した射出成形ユニットを備えた装置を必要とする。第１の材料は、代表的な射出成形サイクルと同じく、ピストンによる一次湯路系を介して注入される。この注入の間、第２の材料によって占拠されるべき金型の体積は、一次湯路系から遮断される。次に、充填すべき第２の湯路系が体積に結合されて、第２の材料が注入される。充分に部品が冷却された後に、金型を開いて部品を取り出す。
【００４２】
図３４及び図３５を参照すると、図３４は平面図、図３５は立面図であって、上方部材４１０とシール部材４６０とを一体成形するための、例示的な金型５２０を示している。金型５２０は、複数のキャビティ５２２を備え、これらの中で、一体的な上方部材４１０とシール部材４６０とが成形される。金型５２０を所定の温度にまで加熱して、ある種の実施形態ではポリプロピレンである第１の材料を、一次湯路系５２４を通して注入し、一次ゲート５２６からキャビティ５２２へと流入させて、一体部品における上方部材４１０の部分を形成する。
次に、各キャビティにおけるシリンダを引っ込めて、それにより、シール部材４６０の形状である小さな二次キャビティ５２８を開かせる。次に、ある種の実施形態ではシリコーンゴムである第２の材料を、二次湯路系を介して二次キャビティ５２８に注入する。材料が冷えると、ある種の実施形態では、上方部材４１０とシール部材４６０の部分とが、化学的に結合される。次に、金型５２０の構成要素を分解すると、一体的に形成された上方部材４１０とシール部材４６０との部品が、金型５２０から取り出される。
【００４３】
図３６を参照すると、上方部材４１０とシール部材４６０を形成するための、多段階モールド工程７００を示している。まず、金型部分を閉じる（段階７１０）。次に、第１の材料を一次キャビティに注入して、上方部材４１０の部分を形成する（段階７２０）。次に、シリンダを作動させて引っ込めることで、シール部材４６０の形状である二次キャビティを創り出す（段階７３０）。次に、新たに形成された二次キャビティに、第２の材料を注入することで、シール部材４６０の部分を形成する（段階７４０）。次に、複合的な一体部品を冷却させて、第１の材料と第２の材料とを化学的に接合させる（段階７５０）。最後に、複合的な部品を金型から取り出す。
従って、かかる多段階射出成形工程によれば、上方部材４１０はシール部材４６０と一体的に形成されて、弁の組み立て工程中には、部品がひとつ少なくなる。また、ある種の実施形態では、ベース４２０とステム部材４４０とを一体成形することもできる。さらに、シール部材４６０を上方部材４１０と一体的に形成することによって、組立工程中にシール部材４６０に整列ミスが生じる機会は極めて最小化され、適切に組み立てられた弁の数が多くなる。さらに、流体送出弁組立体４００の部品を射出成形で形成することによって、流体送出弁組立体４００の部品を、精密な公差にて、比較的低い不良品率にて、比較的多数、生産できる。
【００４４】
さらに、流体送出弁組立体４００を多段階の射出成形工程によって形成することの利益は、流体送出弁組立体４００を比較的短時間で安価に作れることである。さらに、デッドコイルを戦略的に配置したスプリングを用いるならば、製造工程中にスプリングが入子になることが防がれて、本願に開示した方法が比較的安価な弁を製造できる能力に貢献する。従って、流体送出弁組立体４００は安価であるために、これを使い捨てにすることができる。そうして、弁組立体４００は使用後には代表的に廃棄されるため、再使用する前に洗浄する必要がないという、使い捨ての弁の利益が実現される。
従って、本発明の例示の実施形態に適用されるときの本発明の基本的で新規な特徴を図示し、説明し且つ指摘したが、当業者ならば、本発明の精神から逸脱することなく本願に開示した本発明の形態及び詳細に種々の省略、置換及び変更を行なうことができることは理解されよう。上記説明に含まれ且つ添付図面に示された全ての事柄は、例示として示されたものであって、限定するものではない。
特許請求の範囲の記載は、本願に説明した全ての基本的特徴及び特別な特徴及び言語上の問題として行間に含まれることがある本発明の範囲に関する全ての記載をカバーするものである。
【図面の簡単な説明】
【００４５】
【図１】図１は、動物ケージ組立体に組込まれた流体送出装置を示した分解斜視図である。
【図２】図２は、本発明による流体送出装置及び餌供給装置を示した分解斜視図である。
【図３】図３は、本発明による流体送出弁組立体のひとつの実施形態を示した分解斜視図である。
【図４】図４は、図３の流体送出弁組立体を示した側面図である。
【図５】図５は、図３の流体送出弁組立体について、その上方部材を示した側面図である。
【図６】図６は、本発明による流体送出弁組立体におけるトリガ組立体を示した斜視図である。
【図７】図７は、本発明によるカップ要素を示した平面図である。
【図８】図８は、本発明によるカップ要素を示した斜視図である。
【図９】図９は、本発明によるカップ要素を示した側面図である。
【図１０】図１０は、餌供給装置を示した斜視図である。
【図１１】図１１は、本発明による流体送出装置が組み込まれた餌供給装置を示した平面図である。
【図１２】図１２は、餌供給装置を示した正面図である。
【図１３】図１３は、本発明による流体バッグを示した底面図である。
【図１４】図１４は、本発明による流体バッグと流体送出装置を備えた流体餌の構成要素を示した斜視図である。
【図１５】図１５は、本発明による流体バッグを示した断面図である。
【図１６】図１６は、本発明による支持体を含む流体送出弁組立体における上方部材を示した斜視図である。
【図１７】図１７は、動物ケージが組込まれた両面ラック装置を示した側面図である。
【図１８】図１８は、本発明による流体送出弁組立体のひとつの実施形態を示した分解斜視図である。
【図１９】図１９は、図１８の流体送出弁組立体を示した側面図である。
【図２０】図２０は、図１８の流体送出弁組立体におけるステムを示した斜視図である。
【図２１】図２１は、密封位置におけるステムを示した、図１８の流体送出弁組立体の側面図である。
【図２２】図２２は、開いた位置におけるステムを示した、図１８の流体送出弁組立体の側面図である。
【図２３】図２３は、ステムを保護する延長部を示した、図１８の流体送出弁組立体の側断面図である。
【図２４】図２４は、本発明によるラップを含む流体送出弁組立体における上方部材を示した側面図である。
【図２５】図２５は、本発明による使い捨てキャップを含む流体送出弁組立体における上方部材を示した側面図である。
【図２６】図２６は、本発明による流体バッグの充填・密封装置を示した図である。
【図２７】図２７は、本発明による流体バッグ準備室を示した図である。
【図２８】図２８は、本発明による流体バッグ準備室を示した他の図である。
【図２９】図２９は、本発明による流体バッグ準備室を示した他の図である。
【図３０】図３０は、例示的な実施形態による流体送出弁組立体を示した側断面図である。
【図３１】図３１は、例示的な実施形態による流体送出弁組立体のステムを示した側断面図である。
【図３２】図３２は、例示的で代表的な流体送出弁組立体用のスプリング部材を示した側面図である。
【図３３】図３３は、流体送出弁組立体の部分を形成するための例示的な射出成形装置を例示的に示した模式図である。
【図３４】図３４は、流体送出弁組立体の射出成形のための例示的な金型を示した平面図である。
【図３５】図３５は、図３４の金型を示した立断面図である。
【図３６】図３６は、流体送出弁組立体の部品について、多段階の射出成形を行う工程を示した、例示的なフローチャートである。
【図１】
0005468735.tif 000002
【図２】
0005468735.tif 000003
【図３】
0005468735.tif 000004
【図４】
0005468735.tif 000005
【図５】
0005468735.tif 000006
【図６】
0005468735.tif 000007
【図７】
0005468735.tif 000008
【図８】
0005468735.tif 000009
【図９】
0005468735.tif 000010
【図１０】
0005468735.tif 000011
【図１１】
0005468735.tif 000012
【図１２】
0005468735.tif 000013
【図１３】
0005468735.tif 000014
【図１４】
0005468735.tif 000015
【図１５】
0005468735.tif 000016
【図１６】
0005468735.tif 000017
【図１７】
0005468735.tif 000018
【図１８】
0005468735.tif 000019
【図１９】
0005468735.tif 000020
【図２０】
0005468735.tif 000021
【図２１】
0005468735.tif 000022
【図２２】
0005468735.tif 000023
【図２３】
0005468735.tif 000024
【図２４】
0005468735.tif 000025
【図２５】
0005468735.tif 000026
【図２６】
0005468735.tif 000027
【図２７】
0005468735.tif 000028
【図２８】
0005468735.tif 000029
【図２９】
0005468735.tif 000030
【図３０】
0005468735.tif 000031
【図３１】
0005468735.tif 000032
【図３２】
0005468735.tif 000033
【図３３】
0005468735.tif 000034
【図３４】
0005468735.tif 000035
【図３５】
0005468735.tif 000036
【図３６】
0005468735.tif 000037